(57)【要約】【課題】連続搬送ラインの一点吊りハンガーをディップ槽内で揺動させる装置を提供する。【解決手段】連続搬送ラインの走行チェーンにより駆動され前記走行チェーンの下方で前記走行チェーンに平行に且つ前記走行チェーンと同速で走行する無端チェーンと、無端チェーンに取り付けられ無端チェーンの側方へ進退し、前記走行チェーンにより駆動される連続搬送ラインの一点吊りハンガーに上方から係合離脱可能なピンと、前記ピンが無端チェーンの下側走行部に従動して前記走行チェーンと同一方向へ走行する際に前記ピンを進出させ、前記ピンが無端チェーンの上側走行部に従動して前記走行チェーンと逆方向へ走行する際に前記ピンを後退させる制御装置とを備え、ディップ槽の上方に配設される。【選択図】  図１
2004338870.tif 000002
【特許請求の範囲】
【請求項１】
連続搬送ラインの走行チェーンにより駆動され前記走行チェーンの下方で前記走行チェーンに平行に且つ前記走行チェーンと同速で走行する無端チェーンと、無端チェーンに取り付けられ無端チェーンの側方へ進退し、前記走行チェーンにより駆動される連続搬送ラインの一点吊りハンガーに上方から係合離脱可能なピンと、前記ピンが無端チェーンの下側走行部に従動して前記走行チェーンと同一方向へ走行する際に前記ピンを進出させ、前記ピンが無端チェーンの上側走行部に従動して前記走行チェーンと逆方向へ走行する際に前記ピンを後退させる制御装置とを備え、ディップ槽の上方に配設されることを特徴とする連続搬送ラインの一点吊りハンガー揺動装置。
【発明の詳細な説明】
【０００１】
【発明の属する技術分野】
本発明は、前処理装置や電着塗装装置に用いられる連続搬送ラインの一点吊りハンガーを揺動させる装置に関するものである。
【０００２】
【従来の技術】
前処理装置や電着塗装装置に用いられる連続搬送ラインにおいて、単一の支点回りに揺動可能に吊り下げられた一点吊りハンガーが従来から使用されている。
【０００３】
【発明が解決しようとする課題】
従来の連続搬送ラインにおいては、前処理槽、電着槽等のディップ槽内で、一点吊りハンガーを揺動させることが困難であった。ハンガーに載置される処理品の底板には処理液の排出を円滑に行うための排水穴が形成されているが、処理品の頂板には一般に排気穴は形成されていないので、ディップ槽内でハンガーが揺動しないことにより、処理品の頂板の下側にエアポケットが形成され、頂板下面が前処理不良、塗装不良となる可能性があった。
本発明は上記問題に鑑みてなされたものであり、連続搬送ラインの一点吊りハンガーをディップ槽内で揺動させる装置を提供することを目的とする。
【０００４】
【課題を解決するための手段】
上記課題を解決するために、本発明においては、連続搬送ラインの走行チェーンにより駆動され前記走行チェーンの下方で前記走行チェーンに平行に且つ前記走行チェーンと同速で走行する無端チェーンと、無端チェーンに取り付けられ無端チェーンの側方へ進退し、前記走行チェーンにより駆動される連続搬送ラインの一点吊りハンガーに上方から係合離脱可能なピンと、前記ピンが無端チェーンの下側走行部に従動して前記走行チェーンと同一方向へ走行する際に前記ピンを進出させ、前記ピンが無端チェーンの上側走行部に従動して前記走行チェーンと逆方向へ走行する際に前記ピンを後退させる制御装置とを備え、ディップ槽の上方に配設されることを特徴とする連続搬送ラインの一点吊りハンガー揺動装置を提供する。
本発明においては、連続搬送ラインの走行チェーンと同一方向へ走行するピンが無端チェーンの側方へ進出し、ディップ槽を走行する一点吊りハンガーに上方から係合し、ハンガーを所定角度だけ揺動させる。この結果、ハンガーに載置された処理品も所定角度だけ揺動し、処理品の頂板の下側に溜まった空気が処理品の側端部から排出される。処理品の頂板の下側に形成されたエアポケットが消滅することにより、頂板下面が前処理不良、塗装不良となる事態の発生が防止される。連続搬送ラインの走行チェーンと逆方向へ走行するピンは、後退しているので、ディップ槽を走行する一点吊りハンガーと干渉せず、ハンガーの走行を妨げない。
【０００５】
【発明の実施の形態】
本発明の実施例に係る連続搬送ラインの一点吊りハンガー揺動装置を説明する。
図１に示すように、連続搬送ラインのガイドレール１と、ガイドレール１の下方に配設されガイドレール１と平行に延在する走行チェーン２とが、前処理装置のディップ槽３の上方で、倒置台形状に下方へ湾曲している。
ガイドレール１の延在方向に移動可能にガイドレール１に係合しガイドレール１によって上下方向に支持されると共に、走行チェーン２に係合し走行チェーン２により駆動される複数の一点吊りハンガー４が、所定ピッチで配設されている。処理品１００が載置される一点吊りハンガー４の本体部４ａは、ガイドレール１と走行チェーン２とに係合する屈曲可能な腕部４ｂの下端に、ガイドレール１の延在方向と直交する水平軸線回りに揺動可能に吊り下げられている。
【０００６】
走行チェーン２の湾曲部の長手方向略中央部の側方に、走行チェーン２と平行に延在し水平面内で走行する第１無端チェーン５が配設されている。第１無端チェーン５が有する爪５ａが走行チェーン２に係合することにより、第１無端チェーン５は走行チェーン２により駆動される。
上下に延在する第２無端チェーン６が第１無端チェーン５の一端下方に配設されている。第２無端チェーン６は、傘歯車を有する動力伝達機構７と第１無端チェーン５とを介して走行チェーン２により駆動される。
第２無端チェーン６の下端近傍に、第３無端チェーン８が配設されている。第３無端チェーン８は、走行チェーン２の湾曲部に係合する一点吊りハンガー４の本体部４ａの上端近傍側方で、走行チェーン２と平行に延在している。第３無端チェーン８は、走行チェーン２の湾曲部の一端近傍下方から湾曲部の長手方向中央部下方まで延在している。第３無端チェーン８は、動力伝達機構９と第２無端チェーン６と動力伝達機構７と第１無端チェーン５とを介して走行チェーン２により駆動される。
走行チェーン２、第１無端チェーン５、第２無端チェーン６、第３無端チェーン８は、それぞれ図１に矢印で示す方向へ走行する。第３無端チェーン８の下側走行部は、走行チェーン２と同速で、走行チェーン２と同一方向へ走行する。
【０００７】
電磁ソレノイド１０により駆動され、第３無端チェーン８の側方へ且つ一点吊りハンガー４の本体部４ａ上端へ向けて進退可能な複数のピン１１が、一点吊りハンガー４と同一ピッチで、第３無端チェーン８に取り付けられている。一点吊りハンガー４が第３無端チェーンの下側走行部始端近傍に在る時に、ピン１１が第３無端チェーンの上側走行部終端近傍に在るように、ピン１１と一点吊りハンガー４との相対位置関係が設定されている。
ピン１１が第３無端チェーン８の下側走行部に従動して走行チェーン２と同一方向へ走行する際に電磁ソレノイド１０に通電してピン１１を進出させ、ピン１１が第３無端チェーン８の上側走行部に従動して走行チェーン２と逆方向へ走行する際に電磁ソレノイド１０への通電を停止してピン１１を後退させる図示しない制御装置が配設されている。制御装置は、一点吊りハンガー４が第３無端チェーンの下側走行部始端近傍に到達したことを検知して、第３無端チェーンの上側走行部終端近傍に到達したピン１１を進出させ、一点吊りハンガー４が第３無端チェーンの下側走行部終端近傍に到達したことを検知して、第３無端チェーンの下側走行部終端近傍に到達したピン１１を退出させるものでも良く、ピン１１が第３無端チェーンの上側走行部終端近傍に到達したことを検知してピン１１を進出させ、ピン１１が第３無端チェーンの下側走行部終端近傍に到達したことを検知してピン１１を退出させるものでも良く、第３無端チェーン８の下側走行部に平行に配設した電極を介して、第３無端チェーンの下側走行部に従動して走行する電磁ソレノイド１０に給電するものでも良い。
【０００８】
第１〜第３無端チェーン５、６、８と、動力伝達機構７、９と、電磁ソレノイド１０と、ピン１１と、図示しない制御装置とにより、連続搬送ラインの一点吊りハンガー揺動装置が構成されている。
【０００９】
連続搬送ラインの一点吊りハンガー揺動装置の作動を説明する。
一点吊りハンガー４が、第３無端チェーン８の下側走行部の始端近傍に到達すると、第３無端チェーン８の上側走行部の終端を通過しスプロケットに沿って第３無端チェーン８の下側走行部の始端へ向かうピン１１が、図示しない制御装置の制御下に第３無端チェーン８の側方へ進出し、ディップ槽３内を走行する一点吊りハンガー４の本体部４ａ上端に上方から係合し、図２に示すように、一点吊りハンガー４の本体部４ａを所定角度だけ揺動させる。ピン１１が第３無端チェーン８の下側走行部に従動して走行チェーン２と同一方向へ走行する間、ピン１１の進出が維持され、ピン１１と一点吊りハンガー４との係合状態が維持され、一点吊りハンガー４の本体部４ａが所定角度だけ揺動した状態が維持される。
一点吊りハンガー４の本体部４ａの揺動に従動して、一点吊りハンガー４の本体部４ａに載置された処理品１００も所定角度だけ揺動し、処理品１００の頂板の下側に溜まった空気が処理品の側端部から排出される。処理品１００の頂板の下側に形成されたエアポケットが消滅することにより、頂板下面が前処理不良となる事態の発生が防止される。
【００１０】
ピン１１が第３無端チェーン８の下側走行部の終端を通過すると、図示しない制御装置の制御下にピン１１は後退する。ピン１１と一点吊りハンガー４の本体部４ａとの係合状態が解除され、一点吊りハンガー４の本体部４ａの揺動状態が解除される。一点吊りハンガー４の本体部４ａは水平状態でディップ槽３内を走行する。処理品１００の前処理が続行される。
ピン１１が第３無端チェーン８の上側走行部に従動して走行チェーン２と逆方向へ走行する間、ピンの後退が維持される。従って、第３無端チェーン８の上側走行部に従動して走行チェーン２と逆方向へ走行するピン１１は、ディップ槽３内を走行する一点吊りハンガー４の腕部４ｂと干渉せず、一点吊りハンガー４の走行を妨げない。
【００１１】
【発明の効果】
以上説明したごとく、本発明においては、連続搬送ラインの走行チェーンと同一方向へ走行するピンが無端チェーンの側方へ進出し、ディップ槽を走行する一点吊りハンガーに上方から係合し、ハンガーを所定角度だけ揺動させる。この結果、ハンガーに載置された処理品も所定角度だけ揺動し、処理品の頂板の下側に溜まった空気が処理品の側端部から排出される。処理品の頂板の下側に形成されたエアポケットが消滅することにより、頂板下面が前処理不良、塗装不良となる事態の発生が防止される。連続搬送ラインの走行チェーンと逆方向へ走行するピンは、後退しているので、ディップ槽を走行する一点吊りハンガーと干渉せず、ハンガーの走行を妨げない。
【図面の簡単な説明】
【図１】本発明の実施例に係る連続搬送ラインの一点吊りハンガー揺動装置の斜視図である。
【図２】本発明の実施例に係る連続搬送ラインの部分側面図である。
【符号の説明】
１  ガイドレール
２  走行チェーン
３  ディップ槽
４  一点吊りハンガー
５  第１無端チェーン
６  第２無端チェーン
８  第３無端チェーン
１１  ピン
１００  処理品
【図１】
2004338870.tif 000003
【図２】
2004338870.tif 000004